(57)【要約】【課題】目立ちにくい収納空間を形成でき、物品を人目につかないように収納することが可能な収納付き仕切壁を提供することを目的とする。【解決手段】収納付き仕切壁１０は、互いに間隔をあけて配置される一対の側壁部１１ａ，１１ｂを有する壁本体１１と、一対の側壁部１１ａ，１１ｂ間に形成され、壁本体１１の少なくとも幅方向一方の側端面側に開口する収納空間１２と、壁本体１１の側端面に、収納空間１２の開口１２ａを開閉自在に取り付けられる端面化粧材１３と、を備える。そして、端面化粧材１３は、上下端部間の長さが壁本体１１の側端面の上下端部間の長さと略等しく設定されている。【選択図】図２
2014173230.tif 000002
【特許請求の範囲】
【請求項１】
互いに間隔をあけて配置される一対の側壁部を有する壁本体と、
前記一対の側壁部間に形成され、前記壁本体の少なくとも幅方向一方の側端面側に開口する収納空間と、
前記壁本体の前記側端面に、前記収納空間の開口を開閉自在に取り付けられる端面化粧材と、を備えており、
前記端面化粧材は、上下端部間の長さが前記側端面の上下端部間の長さと略等しく設定されていることを特徴とする収納付き仕切壁。
【請求項２】
請求項１に記載の収納付き仕切壁において、
前記端面化粧材は、当該端面化粧材の幅方向両端部に形成され、前記壁本体の前記側端面の幅方向両端部よりも外側に突出する突出縁部を有することを特徴とする収納付き仕切壁。
【請求項３】
請求項１または２に記載の収納付き仕切壁において、
前記端面化粧材は、前記収納空間の内部側に設けられる蝶番を介して前記壁本体の前記側端面に取り付けられており、
前記蝶番は、一片が前記一対の側壁部のうち一方の側壁部の内側面に固定され、他片が前記端面化粧材の裏面に固定されていることを特徴とする収納付き仕切壁。
【請求項４】
請求項３に記載の収納付き仕切壁において、
前記一方の側壁部は、前記他方の側壁部よりも厚さが厚く形成されており、
前記端面化粧材は、表面側に配置される表面化粧部と、
前記表面化粧部の裏面に、前記収納空間側に突出して設けられるとともに前記蝶番の他片が取り付けられる下地部と、を有することを特徴とする収納付き仕切壁。
【請求項５】
請求項１または２に記載の収納付き仕切壁において、
前記端面化粧材は、前記収納空間の内部側に設けられる接続部材を介して前記壁本体の前記側端面に取り付けられるとともに、当該接続部材によって前記側端面に対して着脱自在とされていることを特徴とする収納付き仕切壁。
【請求項６】
請求項１〜５のいずれか一項に記載の収納付き仕切壁において、
前記壁本体の厚みは、周囲に設けられる他の壁の厚みと略等しくなるように設定されていることを特徴とする収納付き仕切壁。
【発明の詳細な説明】
【技術分野】
【０００１】
本発明は、収納付き仕切壁に関する。
【背景技術】
【０００２】
従来、収納スペースを確保するために、例えば単に間仕切りや目隠し等を行う仕切壁に収納機能を付加する技術が知られている。特許文献１には、物品が収納されるバスケット本体を有するウォールストッカーが内部に設けられた収納空間付きの壁体を形成する技術が開示されている。
また、バスケット本体は壁体の端面開口から出し入れ可能とされており、その前面側には、壁体の端面開口を閉塞する蓋板が設けられている。
【先行技術文献】
【特許文献】
【０００３】
【特許文献１】特開２００４−８１２６７号公報
【発明の概要】
【発明が解決しようとする課題】
【０００４】
ところで、物品によっては人目につきにくい場所に収納したいという要望があり、従来のような壁体内の収納空間に収納することが考えられる。ところが、従来の収納空間付きの壁体は、当該壁体の端面を構成する前板と、バスケット本体の表面側に設けられた蓋板との間に把手として利用される指先が入る程度の隙間が形成されたり、前板の面積よりも蓋板の面積が小さく、前板と蓋板の周囲との間に継目が見えたりするため、より目立ちにくくしたいという要望がある。
【０００５】
本発明の課題は、目立ちにくい収納空間を形成でき、物品を人目につかないように収納することが可能な収納付き仕切壁を提供することを目的とする。
【課題を解決するための手段】
【０００６】
請求項１に記載の発明は、収納付き仕切壁１０（２０）であって、例えば図１〜図６に示すように、互いに間隔をあけて配置される一対の側壁部１１ａ，１１ｂ（２１ａ，２１ｂ）を有する壁本体１１（２１）と、
前記一対の側壁部１１ａ，１１ｂ（２１ａ，２１ｂ）間に形成され、前記壁本体１１（２１）の少なくとも幅方向一方の側端面側に開口する収納空間１２（２２）と、
前記壁本体１１（２１）の前記側端面に、前記収納空間１２（２２）の開口１２ａ（２２ａ）を開閉自在に取り付けられる端面化粧材１３（２３）と、を備えており、
前記端面化粧材１３（２３）は、上下端部間の長さが前記側端面の上下端部間の長さと略等しく設定されていることを特徴とする。
【０００７】
請求項１に記載の発明によれば、前記端面化粧材１３（２３）の上下端部間の長さが前記壁本体１１（２１）の側端面の上下端部間の長さと略等しく設定されているので、前記端面化粧材１３（２３）は、上下端部間の長さ方向にわたって継目が無い状態で形成される。すなわち、前記収納空間１２（２２）の開口１２ａ（２２ａ）を前記端面化粧材１３（２３）によって閉塞した時に、当該端面化粧材１３（２３）には継目が無いため、カムフラージュ効果が生じやすくなり、前記収納空間１２（２２）を目立ちにくくすることができる。これよって、前記収納空間１２（２２）に、物品を人目につかないように収納することが可能となる。
【０００８】
請求項２に記載の発明は、例えば図１〜図６に示すように、請求項１に記載の収納付き仕切壁１０（２０）において、
前記端面化粧材１３（２３）は、当該端面化粧材１３（２３）の幅方向両端部に形成され、前記壁本体１１（２１）の前記側端面の幅方向両端部よりも外側に突出する突出縁部１３ｃ，１３ｄ（２３ｃ，２３ｄ）を有することを特徴とする。
【０００９】
請求項２に記載の発明によれば、前記端面化粧材１３（２３）は前記突出縁部１３ｃ，１３ｄ（２３ｃ，２３ｄ）を有するので、当該突出縁部１３ｃ，１３ｄ（２３ｃ，２３ｄ）を把手として利用することができ、前記端面化粧材１３（２３）を開閉操作しやすくなる。
さらに、把手等を付ける必要が無いので、さらにカムフラージュ効果を高めることができる。また、前記突出縁部１３ｃ，１３ｄ（２３ｃ，２３ｄ）は、前記幅方向両端部に形成されるので、幅方向一端部にのみ形成される場合に比して、カムフラージュ効果を高めやすい。
【００１０】
請求項３に記載の発明は、例えば図１〜図４に示すように、請求項１または２に記載の収納付き仕切壁１０において、
前記端面化粧材１３は、前記収納空間１２の内部側に設けられる蝶番１４を介して前記壁本体１１の前記側端面に取り付けられており、
前記蝶番１４は、一片が前記一対の側壁部１１ａ，１１ｂのうち一方の側壁部１１ａの内側面に固定され、他片が前記端面化粧材１３の裏面に固定されていることを特徴とする。
【００１１】
請求項３に記載の発明によれば、前記壁本体１１の前記側端面と前記端面化粧材１３との間に介在する前記蝶番１４は、前記収納空間１２の内部側に設けられるため、外部に露出しない状態となる。すなわち、前記収納空間１２の開口１２ａを前記端面化粧材１３によって閉塞した時に、外部から前記蝶番１４が見えないため、カムフラージュ効果が生じやすくなり、前記収納空間１２をより目立ちにくくすることができる。
また、前記蝶番１４は、一片が前記一対の側壁部１１ａ，１１ｂのうち一方の側壁部１１ａの内側面に固定され、他片が前記端面化粧材１３の裏面に固定されているので、前記端面化粧材１３を片開き形式（横方向、上方向、下方向に回転移動させる形式）で前記壁本体１１の前記側端面に取り付けることができる。さらに、前記蝶番１４を、前記収納空間１２の内部に確実に収めることができる。
【００１２】
請求項４に記載の発明は、例えば図３，図４に示すように、請求項３に記載の収納付き仕切壁１０において、
前記一方の側壁部１１ａは、前記他方の側壁部１１ｂよりも厚さが厚く形成されるとともに前記蝶番１４の一片が取り付けられており、
前記端面化粧材１３は、表面側に配置される表面化粧部１３ａと、
前記表面化粧部１３ａの裏面に、前記収納空間１２側に突出して設けられるとともに前記蝶番１４の他片が取り付けられる下地部１３ｂと、を有することを特徴とする。
【００１３】
請求項４に記載の発明によれば、前記一方の側壁部１１ａが前記他方の側壁部１１ｂよりも厚く形成されているので、前記蝶番１４を、例えば前記他方の側壁部１１ｂに固定する場合に比して強固に固定できる。また、前記端面化粧材１３が、表面側の部材と裏面側の部材とに分けて構成されるので、前記蝶番１４を、表面に露出しない部材である前記下地部１３ｂに対して確実に取り付けできる。さらに、前記表面に露出する部材である前記表面化粧部１３ａによって前記収納空間１２を確実に遮蔽できる。
【００１４】
請求項５に記載の発明は、例えば図５，図６に示すように、請求項１または２に記載の収納付き仕切壁２０において、
前記端面化粧材２３は、前記収納空間２２の内部側に設けられる接続部材２４を介して前記壁本体２１の前記側端面に取り付けられるとともに、当該接続部材２４によって前記側端面に対して着脱自在とされていることを特徴とする。
【００１５】
請求項５に記載の発明によれば、前記壁本体２１の前記側端面と前記端面化粧材２３との間に介在する前記接続部材２４は、前記収納空間２２の内部側に設けられるため、外部に露出しない状態となる。すなわち、前記収納空間２２の開口２２ａを前記端面化粧材２３によって閉塞した時に、外部から前記接続部材２４が見えないため、カムフラージュ効果が生じやすくなり、前記収納空間２２をより目立ちにくくすることができる。
さらに、前記端面化粧材２３は、前記接続部材２４によって前記側端面に対して着脱自在とされているので、前記収納空間２２の開口２２ａを開放させる際に、前記端面化粧材２３を前記側端面から取り外せる。このため、前記収納空間２２の開口２２ａをできるだけ広くかつ容易に開け放つことができる。
【００１６】
請求項６に記載の発明は、例えば図３，図５に示すように、請求項１〜５のいずれか一項に記載の収納付き仕切壁１０（２０）において、
前記壁本体１１（２１）の厚みは、周囲に設けられる他の壁１，２（３）の厚みと略等しくなるように設定されていることを特徴とする。
【００１７】
請求項６に記載の発明によれば、前記壁本体１１（２１）の厚みは、周囲に設けられる他の壁１，２（３）の厚みと略等しくなるように設定されているので、他の壁１，２（３）との区別がつきにくくなり、よりカムフラージュ効果を高めることができる。
【発明の効果】
【００１８】
本発明によれば、端面化粧材によって目立ちにくい収納空間を形成でき、物品を人目につかないように収納することが可能となる。
【図面の簡単な説明】
【００１９】
【図１】閉塞時の収納付き仕切壁を示す斜視図である。
【図２】開放時の収納付き仕切壁を示す斜視図である。
【図３】収納付き仕切壁の断面図である。
【図４】蝶番によって端面化粧材が回転移動する際の軌跡を説明する概略図である。
【図５】他の収納付き仕切壁を示す断面図である。
【図６】開放時の他の収納付き仕切壁を示す斜視図である。
【発明を実施するための形態】
【００２０】
以下、図面を参照して本発明の実施の形態について説明する。
なお、本実施の形態において、建物は、壁や床、屋根といった建物の構成要素を予め工場でパネル化しておき、施工現場でこれらのパネルを組み立てて構築するパネル工法で構築されるが、これに限られるものではなく、従来の軸組工法、壁式工法、ツーバイフォー工法等で構築されるものとしてもよい。
【００２１】
＜第１の実施の形態＞
図１において符号１０は、収納付き仕切壁を示す。この収納付き仕切壁１０は、住宅等の建物内に組み込まれており、当該収納付き仕切壁１０を境界とする建物内の一方の空間と他方の空間とを間仕切るために設けられている。
また、収納付き仕切壁１０は、図１および図２に示すように、他の壁１，２と組み合わされ、これら他の壁１，２と一体的な壁として建物内に組み込まれる。さらに、この収納付き仕切壁１０は、上端部が部屋の天井５と一体的に設けられたり、下端部が部屋の床４と一体的に設けられたりする。
なお、本実施の形態においては、前記他の壁１は、前記床４上に立設され、床４から天井５までの高さの半分程度の高さ（例えば９００ｍｍ程度）に設定された、いわゆる腰壁である。さらに、端面には、当該端面を化粧する化粧材１ａが取り付けられている。
また、前記他の壁２は床４から天井５までの高さに設定された壁である。さらに、図３に示すように、当該他の壁２の両側面には石膏ボード２ａ，２ａが貼り付けられている。
なお、前記他の壁１，２の下端部には、当該壁１，２と前記床４との境目となる巾木６が取り付けられている。
【００２２】
前記収納付き仕切壁１０は、腰壁である前記他の壁１の上端部から前記天井５までの高さに設定されるとともに当該他の壁１に一体的に取り付けられている。そして、これら二つの壁１，１０によって略Ｌ字状の壁が形成されている。さらに、当該Ｌ字状の壁は前記他の壁２と直交するようにして配置されている。また、前記収納付き仕切壁１０と前記他の壁１の表面にはクロス等の仕上げ材によって極力継目が表れないように仕上げが施されている。
以上のような収納付き仕切壁１０は、壁本体１１と、収納空間１２と、端面化粧材１３と、蝶番１４と、棚板１５と、を備える。
【００２３】
前記壁本体１１は、図２，図３に示すように、一対の側壁部１１ａ，１１ｂと、天板部１１ｃと、底板部１１ｄと、側端壁部１１ｅと、を有する。
一対の側壁部１１ａ，１１ｂは、互いに間隔をあけて、かつ対向して配置されることによって前記壁本体１１の表裏の広い面を形成するものである。
天板部１１ｃは、前記一対の側壁部１１ａ，１１ｂの上端部間に設けられ、前記天井５に固定されるものである。
底板部１１ｄは、前記一対の側壁部１１ａ，１１ｂの下端部間に設けられ、前記他の壁１の上端部に固定されるものである。
前記側端壁部１１ｅは、前記壁本体１１の幅方向両側端面のうち収納空間１２の奥行き方向後方に設けられるものであり、前記一対の側壁部１１ａ，１１ｂの端部と、前記天板部１１ｃの端部と、前記底板部１１ｄの端部に固定されている。
【００２４】
また、前記壁本体１１の厚みは、周囲に設けられる他の壁１，２の厚みと略等しくなるように設定されている。
すなわち、壁そのものの厚みが、前記収納付き仕切壁１０も前記他の壁１，２も略等しくなるように設定されている。さらに、壁に付属する化粧材等を含めた寸法もできるだけ等しくなるようにすることが好ましい。例えば前記他の壁１の前記化粧材１ａと、端面化粧材１３の幅寸法は略等しくなるように設定されている。
【００２５】
前記収納空間１２は、前記一対の側壁部１１ａ，１１ｂ間に形成され、前記壁本体１１の少なくとも幅方向一方の側端面側に開口するものである（以下、開口１２ａ）。
すなわち、この収納空間１２は、前記一対の側壁部１１ａ，１１ｂ間だけでなく、これら一対の側壁部１１ａ，１１ｂと、前記天板部１１ｃと、前記底板部１１ｄと、前記側端壁部１１ｅとで囲まれる空間を指している。なお、この収納空間１２における奥行き方向は、前記壁本体１１の幅方向と同義である。
そして、前記壁本体１１の幅方向両側端面のうち、前記側端壁部１１ｅを含んで形成される側端面とは反対の側端面が、上述のように開口している。なお、本実施の形態においては、前記壁本体１１の幅方向両側端面のうち、前記開口１２ａが設けられる側を一方の側端面と称し、前記側端壁部１１ｅが設けられる側を他方の側端面と称する。
前記一方の側端面は、前記一対の側壁部１１ａ，１１ｂの端面、前記天板部１１ｃの端面、前記底板部１１ｄの端面で形成されている。また、前記他方の側端面は、前記側端壁部１１ｅも含んで形成されている。
【００２６】
前記端面化粧材１３は、前記壁本体１１の前記一方の側端面に、前記収納空間１２の開口１２ａを開閉自在に取り付けられるものである。そして、この端面化粧材１３は、上下端部間の長さが前記側端面の上下端部間の長さと略等しく設定されている。
すなわち、この端面化粧材１３は、前記他の壁１の上端部から前記天井５までの高さに設定されている。さらに、換言すれば、この端面化粧材１３は、壁本体１１自体の高さ方向寸法と略等しい高さに設定されている。
また、この端面化粧材１３は、図２〜図４に示すように、前記収納空間１２の内部側に設けられる前記蝶番１４を介して前記壁本体１１の前記一方の側端面に取り付けられている。
【００２７】
また、前記端面化粧材１３は、図２〜図４に示すように、表面化粧部１３ａと、下地部１３ｂと、突出縁部１３ｃ，１３ｄと、を有する。
前記表面化粧部１３ａは、端面化粧材１３の表面側に配置されるものである。
前記下地部１３ｂは、前記表面化粧部１３ａの裏面に、前記収納空間１２側に突出して設けられるものである。この下地部１３ｂは合板等からなる板材である。
前記突出縁部１３ｃ，１３ｄは、端面化粧材１３の幅方向両端部に形成されるものであり、より詳細には、前記表面化粧部１３ａの幅方向両端部に一体形成されるものである。そして、これら突出縁部１３ｃ，１３ｄは、前記壁本体１１の前記一方の側端面の幅方向両端部よりも外側に突出している。
また、これら突出縁部１３ｃ，１３ｄは、前記表面化粧部１３ａと共に押出成形される樹脂成形品であり、木粉等を混入させて木質様成形品としてもよい。
【００２８】
前記蝶番１４は、一片が前記一対の側壁部１１ａ，１１ｂのうち一方の側壁部１１ａの内側面に固定され、他片が前記端面化粧材１３の裏面に固定されている。なお、蝶番１４は、図２に示すように、前記端面化粧材１３の上部と下部に複数設けられている。
すなわち、この蝶番１４は、前記一方の側壁部１１ａの内側面に固定される固定片１４ａと、前記端面化粧材１３の裏面に固定される固定片１４ｂと、複数のリンクが採用されることによって前記端面化粧材１３を動作可能とする蝶番本体１４ｃと、を有する。
前記蝶番本体１４ｃは、図２に示すように、前記端面化粧材１３を動作させて前記収納空間１２の開口１２ａを開放する際に、前記固定片１４ｂを、前記固定片１４ａに対して収納空間１２の外部側に持ち送り可能に構成されている。
【００２９】
前記一方の側壁部１１ａは前記固定片１４ａが固定されるため、前記他方の側壁部よりも厚さが厚く形成されている。
また、前記端面化粧材１３は裏面に前記固定片１４ｂが固定されるため、前記下地部１３ｂを固定代としている。なお、この固定片１４ｂは前記下地部１３ｂに埋設されるようにして固定されている。
【００３０】
また、このような蝶番１４によって前記端面化粧材１３を動作可能とするため、前記一方の側壁部１１ａの端面化粧材側端部は、当該端部が平断面視略Ｌ字状となるように切欠形成されている（切欠部１１ｆ）。
さらに、前記表面化粧部１３ａ（突出縁部１３ｃ，１３ｄを除く部分）および前記下地部１３ｂは、その中心線Ｌ１が、前記壁本体１１の中心線Ｌ２から前記蝶番１４側にずれるようにして配置されている。また、前記下地部１３ｂは、前記一方の側壁部１１ａの切欠部１１ｆに収容されている。
さらに、前記突出縁部１３ｃ，１３ｄのうち一方の突出縁部１３ｃは、他方の突出縁部１３ｄに比して、前記表面化粧部１３ａからの突出寸法が短く設定されている。ただし、双方の突出縁部１３ｃ，１３ｄが前記壁本体１１の前記一方の側端面の幅方向両端部から外側に突出する寸法は略等しい。
【００３１】
前記端面化粧材１３は、前記蝶番１４および当該蝶番１４の周辺の構造を採用することによって、図４に示すような開閉動作を行うことができる。なお、図４中では前記蝶番１４の動作を省略し、前記端面化粧材１３の動作のみが表されている。
この端面化粧材１３の動作の特徴は、前記一方の突出縁部１３ｃが、前記開口１２ａの閉塞時には外側に突出しているのに対し、前記開口１２ａの開放時には当該開口１２ａに向けられた状態となっている点にある。さらに、その中途の過程では、前記一方の側壁部１１ａの端部に接触しないように動作する。
【００３２】
前記棚板１５は、前記収納空間１２内に設けられて、当該収納空間１２を上下に仕切るとともに物品の載置を可能とするものである。
なお、前記一対の側壁部１１ａ，１１ｂの内側面には、図２に示すように、上下方向に多数のダボ穴１５ａ…が形成され、これら多数のダボ穴１５ａ…の任意のダボ穴１５ａにダボ１５ｂが挿入され、ダボ１５ｂの上に前記棚板１５が載置される。これによって、棚板１５の上下位置を任意の高さに設定できる。
【００３３】
以上のようにして本実施の形態の収納付き仕切壁１０が構成されている。
前記収納空間１２を使用する場合は、前記他方の突出縁部１３ｄを把手として利用し、前記端面化粧材１３を、前記蝶番１４を中心に回転するようにして動作させ、前記収納空間１２の開口１２ａを開放させる。
【００３４】
なお、本実施の形態の収納付き仕切壁１０は、前記他の壁１の上端部から前記天井５までの高さに設定され、前記他の壁１に一体的に取り付けられるものとしたが、これに限られるものではなく、例えば床４から天井５までの高さに設定されたものであってもよい。また、その幅（収納空間１２の奥行き）も、人の手が届く範囲または物品の出し入れができる範囲であれば特に限定されるものではない。
【００３５】
また、本実施の形態の端面化粧材１３は、当該端面化粧材１３を横方向に回転移動させる片開き形式であるが、前記蝶番１４を、一片を前記端面化粧材１３の上端部に固定し、他片を前記天板部１１ｃに固定することにより、前記端面化粧材１３を上方に向かって回転させるような形態を採用してもよい。反対に前記端面化粧材１３を下方に向かって回転させる形態を採用してもよい。
【００３６】
本実施の形態によれば、前記端面化粧材１３の上下端部間の長さが前記壁本体１１の側端面の上下端部間の長さと略等しく設定されているので、前記端面化粧材１３は、上下端部間の長さ方向にわたって継目が無い状態で形成される。すなわち、前記収納空間１２の開口１２ａを前記端面化粧材１３によって閉塞した時に、当該端面化粧材１３には継目が無いため、カムフラージュ効果が生じやすくなり、前記収納空間１２を目立ちにくくすることができる。これよって、前記収納空間１２に、物品を人目につかないように収納することが可能となる。
【００３７】
また、前記端面化粧材１３は前記突出縁部１３ｃ，１３ｄを有するので、当該突出縁部１３ｃ，１３ｄを把手として利用することができ、前記端面化粧材１３を開閉操作しやすくなる。
さらに、把手等を付ける必要が無いので、さらにカムフラージュ効果を高めることができる。また、前記突出縁部１３ｃ，１３ｄは、前記幅方向両端部に形成されるので、幅方向一端部にのみ形成される場合に比して、カムフラージュ効果を高めやすい。
【００３８】
また、前記壁本体１１の前記側端面と前記端面化粧材１３との間に介在する前記蝶番１４は、前記収納空間１２の内部側に設けられるため、外部に露出しない状態となる。すなわち、前記収納空間１２の開口１２ａを前記端面化粧材１３によって閉塞した時に、外部から前記蝶番１４が見えないため、カムフラージュ効果が生じやすくなり、前記収納空間１２をより目立ちにくくすることができる。
【００３９】
また、前記蝶番１４は、一片が前記一対の側壁部１１ａ，１１ｂのうち一方の側壁部１１ａの内側面に固定され、他片が前記端面化粧材１３の裏面に固定されているので、前記端面化粧材１３を片開き形式で前記壁本体１１の前記側端面に取り付けることができる。さらに、前記蝶番１４を、前記収納空間１２の内部に確実に収めることができる。
【００４０】
また、前記一方の側壁部１１ａが前記他方の側壁部１１ｂよりも厚く形成されているので、前記蝶番１４を、例えば前記他方の側壁部１１ｂに固定する場合に比して強固に固定できる。また、前記端面化粧材１３が、表面側の部材と裏面側の部材とに分けて構成されるので、前記蝶番１４を、表面に露出しない部材である前記下地部１３ｂに対して確実に取り付けできる。さらに、前記表面に露出する部材である前記表面化粧部１３ａによって前記収納空間１２を確実に遮蔽できる。
【００４１】
また、前記壁本体１１の厚みは、周囲に設けられる他の壁１，２の厚みと略等しくなるように設定されているので、他の壁１，２との区別がつきにくくなり、よりカムフラージュ効果を高めることができる。
【００４２】
＜第２の実施の形態＞
次に、図面を参照して本発明の第２の実施の形態について説明する。なお、説明の便宜上、上述した第１の実施の形態とは異なる構成部分のみについて説明する。
【００４３】
本実施の形態の収納付き仕切壁２０は、図５，図６に示すように、他の壁３と組み合わされ、当該他の壁３と一体的な壁として建物内に組み込まれる。具体的には、前記収納付き仕切壁２０は、前記他の壁３と同一直線上に配置され、かつ、当該他の壁３の一端面に前記収納付き仕切壁２０の端面が接するようにして設けられている。なお、この収納付き仕切壁２０は前記他の壁３の一端面に対して接着剤等により固定されている。
また、図示はしないが、本実施の形態の収納付き仕切壁２０および前記他の壁３は、床４から天井５までの高さに設定されている。そして、これら収納付き仕切壁２０および前記他の壁３の下端部には、前記床４との境目となる巾木６が取り付けられている。
また、前記収納付き仕切壁２０と前記他の壁３の表面にはクロス等によって極力継目が表れないように仕上げが施されている。
以上のような収納付き仕切壁２０は、壁本体２１と、収納空間２２と、端面化粧材２３と、接続部材２４と、棚板２５と、を備える。
【００４４】
前記壁本体２１は、一対の側壁部２１ａ，２１ｂと、天板部と、底板部２１ｄと、側端壁部２１ｅと、を有する。本実施の形態においては、図示しない天板部は前記天井５に固定されている。また、前記一対の側壁部２１ａ，２１ｂは略等しい厚さに形成されている。すなわち、同様のサイズの板材が使用されている。
なお、図５に示すように、前記一対の側壁部２１ａ，２１ｂの幅寸法は、前記端面化粧材２３の幅寸法に近い寸法に設定されている。これによって、本実施の形態の収納付き仕切壁２０は、平断面視において、より正方形状に近い矩形状に形成されている。なお、正方形であってもよいものとする。
このような収納付き仕切壁２０であれば、比較的小型に形成できるので、設置スペースの広さに制限があっても導入しやすい。
【００４５】
前記収納空間２２は、前記壁本体２１の内部に形成されるものであり、その開口２２ａは、前記壁本体２１の側端面側に形成されている。換言すれば、当該開口２２ａは、前記収納付き仕切壁２０と前記他の壁３とからなる一体的な壁の側端面側に形成されている。
前記棚板２５は、前記収納空間２２内に適宜設けられている。なお、本実施の形態においてもダボおよびダボ穴によって当該棚板２５を支持する。
【００４６】
前記端面化粧材２３は、前記壁本体２１の前記側端面に、前記収納空間２２の開口２２ａを開閉自在に取り付けられるものである。
そして、当該端面化粧材２３は、前記収納空間２２の内部側に設けられる接続部材２４を介して前記壁本体２１の側端面に取り付けられるとともに、当該接続部材２４によって前記壁本体２１の側端面に対して着脱自在とされている。
【００４７】
また、端面化粧材２３は、表面化粧部２３ａと、下地部２３ｂと、突出縁部２３ｃ，２３ｄと、補強部材２３ｅと、を有する。本実施の形態の突出縁部２３ｃ，２３ｄの突出寸法は、互いに等しくなるように設定されている。
さらに、前記補強部材２３ｅは、前記下地部２３ｂの裏面に取り付けられる金属製部材であり、端面化粧材２３の剛性に応じて選択的に取り付けられる。すなわち、本実施の形態のように収納付き仕切壁２０自体が、床４から天井５までの高さに設定されていると、前記端面化粧材２３に撓みが生じやすくなる場合がある。このような場合には、前記補強部材２３ｅが取り付けられる。
【００４８】
前記接続部材２４は、キャッチ部材２４ａと、ストライク部材２４ｂと、を有する。
キャッチ部材２４ａは、磁石そのもの、または磁石を内蔵する部材であり、前記一対の側壁部２１ａ，２１ｂの前記開口２２ａ側の端部に取り付けられている。本実施の形態においては磁石を内蔵する部材として構成されている。
なお、このキャッチ部材２４ａは、一方の側壁部２１ａ、他方の側壁部２１ｂのそれぞれに、上下方向に複数個ずつ取り付けられている。上述のように収納付き仕切壁２０自体の高さが高い場合には、キャッチ部材２４ａの数を適宜増やしてもよいものとする。例えば上下それぞれと、その中央付近とに取り付ける（計３個）等としてもよい。
また、ストライク部材２４ｂは、磁気を帯びた前記キャッチ部材２４ａに付く金属（強磁性体）であり、板状に形成されている。そして、前記端面化粧材２３の裏面、具体的には前記下地部２３ｂの裏面に、前記キャッチ部材２４ａの位置に合わせて取り付けられている。
これらキャッチ部材２４ａおよびストライク部材２４ｂは、ビス２４ｃ等により適宜固定されている。
また、本実施の形態においては前記接続部材２４を、磁石を利用したものとしたが、これに限られるものではなく、例えば一般的なローラーキャッチ等でもいい。
【００４９】
また、前記壁本体２１と前記端面化粧材２３は、ワイヤー２６によって繋がっており、これによって、前記端面化粧材２３を前記壁本体２１の側端面から取り外した際に、当該端面化粧材２３が転倒することを防ぐことができる。
【００５０】
本実施の形態によれば、前記壁本体２１の前記側端面と前記端面化粧材２３との間に介在する前記接続部材２４は、前記収納空間２２の内部側に設けられるため、外部に露出しない状態となる。すなわち、前記収納空間２２の開口２２ａを前記端面化粧材２３によって閉塞した時に、外部から前記接続部材２４が見えないため、カムフラージュ効果が生じやすくなり、前記収納空間２２をより目立ちにくくすることができる。
さらに、前記端面化粧材２３は、前記接続部材２４によって前記側端面に対して着脱自在とされているので、前記収納空間２２の開口２２ａを開放させる際に、前記端面化粧材２３を前記側端面から取り外せる。このため、前記収納空間２２の開口２２ａをできるだけ広くかつ容易に開け放つことができる。
【符号の説明】
【００５１】
１０  収納付き仕切壁
１１  壁本体
１１ａ  側壁部
１１ｂ  側壁部
１２  収納空間
１２ａ  開口
１３  端面化粧材
２０  収納付き仕切壁
２１  壁本体
２１ａ  側壁部
２１ｂ  側壁部
２２  収納空間
２２ａ  開口
２３  端面化粧材
２４  接続部材
【図１】
2014173230.tif 000003
【図２】
2014173230.tif 000004
【図３】
2014173230.tif 000005
【図４】
2014173230.tif 000006
【図５】
2014173230.tif 000007
【図６】
2014173230.tif 000008